(57)【要約】番組情報に含まれる放送時間に基づき、時間軸方向に番組情報を並べて表示する番組情報表示装置において、放送時間が重なり合う第１及び第２の番組情報を含む複数の番組情報を１つの時間軸方向に並べて表示させる場合に、第１の番組情報については放送開始時刻を示す時間軸位置から放送終了時刻を示す時間軸位置までの領域で第１の番組情報の表示を行い、第２の番組情報については第１の番組情報の放送開始時刻を示す時間軸位置まで、もしくは、第１の番組情報の放送終了時刻を示す時間軸位置からの領域で、第２の番組情報の表示を行う制御をする表示制御部を有する。
2011062116.tif 000002
【特許請求の範囲】
【請求項１】
番組情報に含まれる放送時間に基づき、時間軸方向に番組情報を並べて表示する番組情報表示装置において、
放送時間が重なり合う第１及び第２の番組情報を含む複数の番組情報を１つの時間軸方向に並べて表示させる場合に、
前記第１の番組情報については放送開始時刻を示す時間軸位置から放送終了時刻を示す時間軸位置までの領域で前記第１の番組情報の表示を行い、
前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行う制御をする表示制御部を有することを特徴とする番組情報表示装置。
【請求項２】
前記表示制御部は、
前記第２の番組情報の表示領域であって、前記第１の番組情報の表示領域との境界の近傍に、放送時間の重なりが存在することを示す表示を行うことを特徴とする請求項１に記載の番組情報表示装置。
【請求項３】
前記表示制御部は、放送時間の重なりが存在することを示す表示を、該番組情報の放送開始時刻を示す時間軸位置から前記番組情報の放送終了時刻を示す時間軸位置まで、もしくは、前記番組情報の放送開始時刻を示す時間軸位置から該番組情報の放送終了時刻を示す時間軸位置までの領域の一部で行うことを特徴とする請求項２に記載の番組情報表示装置。
【請求項４】
番組情報に含まれる放送時間に基づき、時間軸方向に番組情報を並べて表示する番組情報表示装置において、
放送時間が重なり合う第１及び第２の番組情報を含む複数の番組情報を１つの時間軸方向に並べて表示させる場合に、
前記第１の番組情報の表示領域と前記第２の番組情報の表示領域との少なくともいずれか一方を非矩形の領域とし、前記非矩形を形成する領域の頂点を番組の開始時間又は終了時間として示す制御を行う表示制御部を有することを特徴とする番組情報表示装置。
【請求項５】
番組情報に含まれる放送時間に基づき、時間軸方向に番組情報を並べて表示する番組情報表示装置において、
放送時間が重なり合う第１及び第２の番組情報を含む複数の番組情報を１つの時間軸方向に並べて表示させる場合に、
前記第１の番組情報の表示領域と前記第２の番組情報の表示領域とを前記時間軸と交差する方向にずれを生じさせて表示し、前記ずれによって生じた前記第１の番組情報の表示領域と前記第２の番組情報の表示領域とを画定する辺の交点を番組の開始時間又は終了時間として示す制御を行う表示制御部を有することを特徴とする番組情報表示装置。
【請求項６】
さらに、番組情報の表示優先度を求める番組優先度算出部を備え、
前記表示制御部は、放送時間が重なり合う複数の番組情報を表示する場合に、前記番組優先度算出部が求めた表示優先度が高い番組情報を、前記第１の番組情報として表示させる制御を行うことを特徴とする請求項１から５までのいずれか１項に記載の番組情報表示装置。
【請求項７】
前記表示制御部は、放送時間が重なり合う複数の番組情報を表示する場合に、ユーザが選択した番組情報を、前記第１の番組情報として表示させる制御を行うことを特徴とする請求項１から５までのいずれか１項に記載の番組情報表示装置。
【請求項８】
前記表示制御部は、放送時間が重なり合う複数の番組情報を表示する場合に、ユーザ操作により番組情報が選択される毎に、前記第１の番組情報と前記第２の番組情報とを切り替えて表示させる制御を行うことを特徴とする請求項１から５までのいずれか１項に記載の番組情報表示装置。
【請求項９】
前記第１の番組情報と前記第２の番組情報とは、電子番組表の推奨番組欄に表示されることを特徴とする請求項１から８までのいずれか１項に記載の番組情報表示装置。
【請求項１０】
番組情報に含まれる放送時間に基づき、時間軸方向に番組情報を並べて表示する番組情報表示方法において、
放送時間が重なり合う第１及び第２の番組情報を含む複数の番組情報を１つの時間軸方向に並べて表示させる場合に、
前記第１の番組情報については放送開始時刻を示す時間軸位置から放送終了時刻を示す時間軸位置までの領域で前記第１の番組情報の表示を行い、前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行うことを特徴とする番組情報表示方法。
【請求項１１】
請求項１０に記載の番組情報表示方法をコンピュータに実行させるためのプログラム。
【請求項１２】
請求項１１に記載のプログラムを記録した、コンピュータ読み取り可能な記録媒体。
【発明の詳細な説明】
【技術分野】
【０００１】
本発明は、番組情報表示装置、番組情報表示方法、コンピュータを番組情報表示装置として機能させるためのプログラムおよび記録媒体に関する。
【背景技術】
【０００２】
現在、デジタルテレビジョン受信装置の普及が進み、多チャンネル化に伴い、電子番組表（ＥＰＧ）による番組の確認、予約などが行われている。一般的には、このような番組情報提供サービスにおいて、各放送局の番組放送スケジュール情報を、新聞に掲載されている「ラジオ・テレビ欄（ラテ欄）」と同様の表示方式で画面に表示させる。【０００３】
また、例えば特許文献１に開示されている方法を用いて、番組情報提供サービスと過去の視聴履歴とを元に視聴者により好まれる番組コンテンツまたはチャンネルのお気に入りリストを表示することが可能である。
【先行技術文献】
【特許文献】
【０００４】
【特許文献１】特表２００８−５２１３２８号公報
【発明の概要】
【発明が解決しようとする課題】
【０００５】
上記特許文献１に記載のように、番組情報提供サービスと過去の視聴履歴等とを元にして視聴を推奨する推奨番組を求めた場合、放送時間が重なる複数の推奨番組が抽出される場合がある。放送時間が重なった推奨番組の番組情報を時間軸方向に並べて仮想的なチャンネルとして電子番組表内に表示させた場合に、番組情報の領域を単純に重ね合わせて表示させてしまうと、推奨番組を時間軸上に表示させた電子番組表を見たユーザにとって、番組の放送開始時刻ないしは放送終了時刻を正確に把握することができなくなる場合がある。【０００６】
本発明は、上述の課題等を解決するためになされたものであり、本発明の目的は、放送時間が重なり合う複数の番組情報を時間軸方向に複数表示させる場合に、放送時間が重なっていることがわかるように表示を行うことができる番組情報表示装置を提供することである。
【課題を解決するための手段】
【０００７】
本発明の一観点によれば、番組情報に含まれる放送時間に基づき、時間軸方向に番組情報を並べて表示する番組情報表示装置において、放送時間が重なり合う第１及び第２の番組情報を含む複数の番組情報を１つの時間軸方向に並べて表示させる場合に、前記第１の番組情報については放送開始時刻を示す時間軸位置から放送終了時刻を示す時間軸位置までの領域で前記第１の番組情報の表示を行い、前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行う制御をする表示制御部を有することを特徴とする番組情報表示装置が提供される。【０００８】
前記表示制御部は、前記第２の番組情報の表示領域であって、前記第１の番組情報の表示領域との境界の近傍に、放送時間の重なりが存在することを示す表示を行うことを特徴とする。【０００９】
また、前記表示制御部は、放送時間の重なりが存在することを示す表示を、該番組情報の放送開始時刻を示す時間軸位置から前記番組情報の放送終了時刻を示す時間軸位置まで、もしくは、前記番組情報の放送開始時刻を示す時間軸位置から該番組情報の放送終了時刻を示す時間軸位置までの領域の一部で行うことを特徴とする。【００１０】
また、本発明は、番組情報に含まれる放送時間に基づき、時間軸方向に番組情報を並べて表示する番組情報表示装置において、放送時間が重なり合う第１及び第２の番組情報を含む複数の番組情報を１つの時間軸方向に並べて表示させる場合に、前記第１の番組情報の表示領域と前記第２の番組情報の表示領域との少なくともいずれか１を非矩形の領域とし、前記非矩形を形成する領域の頂点を番組の開始時間又は終了時間として示す制御を行う表示制御部を有することを特徴とする番組情報表示装置である。【００１１】
また、本発明は、番組情報に含まれる放送時間に基づき、時間軸方向に番組情報を並べて表示する番組情報表示装置において、放送時間が重なり合う第１及び第２の番組情報を含む複数の番組情報を１つの時間軸方向に並べて表示させる場合に、前記第１の番組情報の表示領域と前記第２の番組情報の表示領域とを前記時間軸と交差する方向にずれを生じさせて表示し、前記ずれによって生じた前記第１の番組情報の表示領域と前記第２の番組情報の表示領域とを画定する辺の交点を番組の開始時間又は終了時間として示す制御を行う表示制御部を有することを特徴とする番組情報表示装置である。【００１２】
さらに、番組情報の表示優先度を求める番組優先度算出部を備え、前記表示制御部は、放送時間が重なり合う複数の番組情報を表示する場合に、前記番組優先度算出部が求めた表示優先度が高い番組情報を、前記第１の番組情報として表示させる制御を行うことを特徴とする。前記表示制御部は、放送時間が重なり合う複数の番組情報を表示する場合に、ユーザが選択した番組情報を、前記第１の番組情報として表示させる制御を行うことを特徴とする。前記表示制御部は、放送時間が重なり合う複数の番組情報を表示する場合に、ユーザ操作により番組情報が選択される毎に、前記第１の番組情報と前記第２の番組情報とを切り替えて表示させる制御を行うことを特徴とする。前記第１の番組情報と前記第２の番組情報とは、電子番組表のうちで、お勧めの番組を表示する推奨番組欄に表示されると便利である。【００１３】
本発明の他の観点によれば、番組情報に含まれる放送時間に基づき、時間軸方向に番組情報を並べて表示する番組情報表示方法において、放送時間が重なり合う第１及び第２の番組情報を含む複数の番組情報を１つの時間軸方向に並べて表示させる場合に、前記第１の番組情報については放送開始時刻を示す時間軸位置から放送終了時刻を示す時間軸位置までの領域で前記第１の番組情報の表示を行い、前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行うことを特徴とする番組情報表示方法が提供される。【００１４】
本発明は、上記に記載の番組情報表示方法をコンピュータに実行させるためのプログラムであっても良く、当該プログラムを記録した、コンピュータ読み取り可能な記録媒体であっても良い。【００１５】
上記プログラムは、インターネットなどの伝送媒体により取得されるものであっても良い。【００１６】
本明細書は本願の優先権の基礎である日本国特許出願２００９−２６４７９３号の明細書および／または図面に記載される内容を包含する。
【発明の効果】
【００１７】
本発明に係る番組情報表示装置は、複数の番組情報を重ねて表示させる場合に、第１の番組情報については放送開始時刻と放送終了時刻とを容易に確認することが可能であり、第２の番組情報についても第１の番組情報との間に放送時間の重なりが存在することを簡単に確認することができる。
【図面の簡単な説明】
【００１８】
【図１】本発明の一実施の形態による番組情報表示装置を備えたテレビジョン受信装置の一構成例を示す機能ブロック図である。
【図２Ａ】本実施の形態による電子番組表の表示処理の流れを示すフローチャート図である。
【図２Ｂ】本実施の形態による電子番組表の表示処理の流れを示すフローチャート図である。
【図３】本発明の一実施の形態による番組情報の番組表示時間の削除手順の一例を示す図である。
【図４】本発明の一実施の形態による番組情報の番組表示時間と番組情報の配置との関係の一例を示す図である。
【図５】本発明の一実施の形態による放送時間の重なりが存在することを示す表示の一例を示す図である。
【図６】本発明の一実施の形態による放送時間の重なりが存在することを示す表示の一例を示す図である。
【図７】表示面の上方から下方にかけて画定される１つの時間軸（一列の表示欄）に沿って表示すべき番組が複数存在する場合における、番組情報の表示例を示す図である。
【図８】本発明の番組表示の原理を簡単に示す図である。
【符号の説明】
【００１９】
１…フロントエンド、２…デマルチプレクサ、３…映像・音声デコード部、４…音声出力部、５…番組情報デコード部、６…番組表データ生成部、７…画面合成部、８…表示部、９…通信部、１０…制御部（ＣＰＵ）、１０ａ…表示制御部、１０ｂ…番組優先度算出部、１１…メモリ部、１１ａ…番組情報記憶部、１１ｂ…視聴履歴記憶部、１２…リモコン受光部、２０…リモコン装置。
【発明を実施するための形態】
【００２０】
本明細書において、番組情報の放送時間とは、番組情報に記載されている実際の番組の放送時間（開始時間と終了時間）であり、番組情報の番組表示時間とは、番組表などに表示されている開始時間と終了時間であり、一般的には両者は一致するが、複数の番組情報が重なって表示されている場合には、番組の放送時間がユーザにはわかりにくくなるために区別して定義している。
【００２１】
まず、本発明の特徴の概要について、図面を参照しながら説明を行う。図７、図８は、本発明の番組情報表示技術の概要の一例を示す図である。図７は、表示面の上方から下方にかけて画定される１つの時間軸（一列の表示欄）に沿って表示すべき番組が複数存在する場合における、番組情報の表示例を示す図である。図８は、その一表示例を示すための原理を示す図である。図８では、Ａチャンネル１６６、Ｂチャンネル１６８、Ｘチャンネル１７０を含む複数のチャンネルが存在し、例えば、推奨番組やユーザが視聴予約等を行った番組などをまとめて表示させるマイチャンネル欄１６３において、ユーザの嗜好に合った番組であって同じ時間帯で重なる番組（番組１：１６６ａ、番組２：１６８ｂ）が検索された場合において、推奨番組を表示するマイチャンネル１６３として、番組１（第１の番組情報）と番組２（第２の番組情報）とが表示されている（１６３ａ・１６３ｂ）。この場合に、番組１と番組２とを少なくとも一部の時間領域で重ねて表示させることになるが、重複する表示領域が存在するため、少なくともいずれかの番組情報が他方の番組情報により隠れることになる（例えば番組２の番組情報が番組１の番組情報により隠れてしまう）。
【００２２】
そこで、図８のマイチャンネル１６３では、番組情報の表示領域が重なっているかどうかを示すように、番組１の矩形で示される表示領域内に番組１の表示領域の右辺に沿って番組２の表示領域が細長く延びている。より詳細には、左辺では、番組１と番組２との境界の時間は番組１の放送終了時間であるｔ１０３を示している。一方、右辺では、番組２の表示領域が番組１の表示領域まで延びており、時間ｔ１０３よりも前の時間ｔ１０２により、実際の番組２の放送開始時間が示されている。番組１が上になって表示されていることは、幅広の領域が主になり、細長い領域が従となることにより示されている。
【００２３】
また、カーソル等の操作により番組にフォーカスを当てる操作を行うことにより、フォーカスが当てられた番組２の表示領域を時間ｔ１０２始まる略矩形の表示領域とし、フォーカスが当てられた番組１の表示領域を例えば右辺に沿って時間ｔ１０３まで延びるように表示させるようにしても良い。また、特殊ボタン等により、カーソル（フォーカス）位置の番組を、次の推奨候補番組情報の表示に入れ替えて表示させるようにしても良い。
【００２４】
図７は、上記の原理を応用した推奨番組の表示例を示す図であり、図７（ａ）は、番組１と番組２の表示領域を（ｔ１１２からｔ１１３まで境界を斜めに配置する規則に基づいて）非矩形にした表示例を示す図である。すなわち、重複した領域を隠蔽せずに、時間軸と垂直に公差するチャンネル軸と０でない角度（例えば４５度）を有する斜めの境界線により時間帯の重複を示すこともできる（異なる規則であれば逆の斜め方向に傾けても良い）。この表示例によれば、番組１の放送終了時刻、番組２の放送開始時刻もフォーカスの切替無しに一目でわかる。
【００２５】
図７（ｂ）は、上記図８に示す表示の例と同様であり、例えば番組１の矩形表示領域内の右辺に沿った細長い領域により、番組２（第２の番組情報）の放送開始時刻を表示させることができる。図７（ｃ）は、番組１（第２の番組情報）の左辺の細長い領域におけるチャンネル軸に沿った線（ｔ１３３で示す）により、番組１（第１の番組情報）の放送終了時刻を示しているが、左辺の細長い領域は番組２の矩形の表示領域には入り込んでいない表示例である。図７（ｄ）は、番組１（第１の番組情報）の表示領域が番組２（第２の番組情報）の右上において一部の領域を除いて重なっている（番組１が上になっている。）例である。すなわち、表示領域は両方とも矩形であるが、チャンネル軸方向にずらして表示させている例である。その他、種々の表示例が存在するが、２つの番組の表示領域のうちの少なくとも一方が矩形でないように表示させるか、表示領域に重なりが存在するようにチャンネル軸にずらして表示させる点が特徴である。なお、重なりがある場合に、その重なる番組数を数字などで表示しても良い。
【００２６】
また、例えば、複数の番組が重なっている場合に、フォーカスを当てると、順次、番組情報の表示が切り替わるようにすると便利である。また、色分けやハッチの違い、境界線の強調などにより、番組１と番組２との表示領域の違いを明示するようにしても良い。
【００２７】
次に、本発明の実施の形態による番組情報表示技術について、図面を参照しながら具体的に説明を行う。図１は、本実施の形態における番組情報表示装置を備えたデジタル放送受信装置の一構成例を示す機能ブロック図である。図１に示すデジタル放送受信装置Ａは、アンテナＡＴから受信された放送信号から放送番組を選択するチューナなどを含むフロントエンド１と、多重化されている信号を映像信号と音声信号とに分けるデマルチプレクサ２と、映像信号と音声信号とをデコードする映像・音声デコード部３と、デコードされた音声を出力する音声出力部（スピーカなど）４と、デマルチプレクサ３からの出力から放送波に含まれているＳＩなどから抽出した番組情報をデコードする番組情報デコード部５と、番組情報から電子番組表（ＥＰＧ）データを生成する番組表データ生成部６と、映像及び番組表示データなどを合成する画面合成部７と、画面合成部７で合成された映像を表示する表示部（ディスプレイなど）８と、を有している。電子番組表の作成に係る部分が番組表示装置に該当する。
【００２８】
さらに、各機能部全体を制御する制御部（ＣＰＵ）１０と、各種処理をＣＰＵ１０に実行させるためのプログラムなどを格納するメモリ部１１と、リモコン装置２０からのリモコン信号を受信するリモコン受光部１２と、を有している。尚、番組情報表示装置においては、音声出力部４や画面合成部７などは必須ではない。また、放送信号をアンテナＡＴからではなく、通信ネットワークＮＴを経由して受信する通信部９を、付加的に又は別途有していてもよい。
【００２９】
番組情報の表示に関係する機能部としては、制御部１０において、表示部８の表示を制御する表示制御部１０ａと、番組情報を表示させる際の優先度である表示優先度を求める番組優先度算出部１０ｂと、を有している。これらの機能は、メモリ部（記憶部）１１などに記憶されているプログラムによって実行されるのが一般的である。そのために、メモリ部１１には、番組情報デコード部５でデコードされた番組情報を記憶する番組情報記憶部１１ａと、視聴された番組の履歴を記憶する視聴履歴記憶部１１ｂと、が設けられている。
【００３０】
図２Ａ、図２Ｂは、本実施の形態における電子番組表の表示処理の流れを示すフローチャート図である。
【００３１】
以下、図１および図２Ａ、図２Ｂを参照し、本実施の形態における番組情報表示装置が行う電子番組表の表示処理の流れの概要について、以下に具体的に説明する。
【００３２】
まず、処理が開始されると（開始）、表示制御部１０ａは、番組情報記憶部１１ａから番組情報デコード部５でデコードされ記憶されている番組情報を取り出す（ステップＳ１）。番組情報記憶部１１ａに記憶されている番組情報としては、チャンネル番号、series_id（デジタルテレビジョン放送のＥＩＴに配置されるシリーズ記述子に記載され、同じシリーズに属する番組では同一値をとる。）、番組名、番組内容、ジャンル、放送時間などがある。ステップＳ１で取り出した番組情報における、放送時間の終了時刻（以下、「放送終了時刻」と記載する。）が、現在時刻より早い場合には、過去の番組であるから番組情報記憶部１１ａから番組情報を削除し（ステップＳ２）、現在時刻より早くない場合には、現在又は将来の番組であるから取り出した番組情報の放送時間を番組表示時間として番組情報記憶部１１ａに保存する（ステップＳ３）。そして、番組情報記憶部１１ａから取り出した番組情報を番組優先度算出部１０ｂに渡す。番組優先度算出部１０ｂは、渡された番組情報と視聴履歴記憶部１１ｂに記憶された番組の視聴履歴とを元に例えば視聴頻度の高い番組の優先度を高くするなどして、番組情報の表示優先度を算出して表示制御部１０ａに渡し、表示制御部１０ａは表示優先度を番組情報記憶部１１ａに保存し（ステップＳ４）、例えば番組情報を放送時間の開始時刻（以下、「放送開始時刻」と記載する。）が早い順にソートする（ステップＳ５）。
【００３３】
番組情報の表示優先度を算出する方法には種々の公知の方法を用いることができるが、その一例としては、例えば視聴履歴としてチャンネル番号、series_id、番組名、放送開始時刻、視聴時間／放送時間を記憶部１１に記憶させておき、番組情報と視聴履歴とを比較して、チャンネル番号とseries_idが同一で、番組名に含まれる文字列があらかじめ定めた文字数（例えば５文字）以上一致し、放送開始時刻の差があらかじめ定めた範囲内（例えば±１時間以内）であれば、同一番組を過去に視聴していたとみなして視聴時間／放送時間の値を取り出し、取り出した値の平均値（取り出した値が無い場合は“０”）を表示優先度とする方法を用いることができる。
【００３４】
表示制御部１０ａは、次の番組情報があるか否かを判定し（ステップＳ６）、Ｎｏであれば、ステップＳ１４に進み、ＹｅｓであればステップＳ７に進む。ステップＳ７で、ソート順に番組情報ｉを取り出し、さらに、ステップＳ８で次の番組情報があるかどうかを判定し、次の番組情報がない場合には（Ｎ）ステップＳ６に戻ってステップＳ１４に進み、次の番組情報がある場合には（Ｙｅｓ）ステップＳ９に進む。
【００３５】
ステップＳ９では、さらにソート順に番組情報ｉの次の番組情報ｊを取り出し、番組情報ｉの放送時間の終了時刻（以下、「放送終了時刻」と記載する。）ＴＥｉと番組情報ｊの放送開始時刻ＴＳｊとを比較し（ステップＳ１０）、ＴＥｉ≦ＴＳｊであれば（Ｙｅｓ）番組情報ｉと番組情報ｊとの放送時間が重ならないと判定されるため（Ｙｅｓ）、番組情報ｉの次のソート順となる番組情報を次の番組情報ｉとして（ステップＳ６）に戻り、次の番組情報をステップＳ７で取り出す。
【００３６】
表示制御部１０ａは、（ステップＳ１０）において、ＴＥｉ＞ＴＳｊであれば（Ｎｏ）、番組情報ｉと番組情報ｊとの放送時間が重なると判定し、番組情報ｉの表示優先度Ｐｉと番組情報ｊの表示優先度Ｐｊとを比較し（ステップＳ１１）、表示優先度Ｐｉ＜表示優先度Ｐｊであれば、番組情報記憶部１１ａに保存されている番組情報ｉの番組表示時間から番組情報ｊの放送時間を除く（ステップＳ１２）。
【００３７】
すなわち、例えば、図３のような場合で説明すると、（ステップＳ３）の時点では番組情報ｉの番組表示時間はＤＳｉ１＝ＴＳｉ、ＤＥｉ１＝ＴＥｉとして番組情報記憶部１１ａに保存されているが、番組情報ｉの番組表示時間から番組情報ｊの放送時間を除いた結果、ＤＥｉ１＝ＴＳｊとなる。
【００３８】
また、表示制御部１０ａは、（ステップＳ１１）で表示優先度Ｐｉ≧表示優先度Ｐｊであれば（Ｎｏ）、番組情報記憶部１１ａに保存されている番組情報ｊの番組表示時間から番組情報ｉの放送時間を除く（ステップＳ１３）。これにより、複数の番組情報の放送時間が重なっている場合には、表示優先度の高い方の番組情報の表示が優先されることになり、放送開始時刻を示す時間軸位置から放送終了時刻を示す時間軸位置までの領域で番組情報の表示を行うことが可能となり、表示優先度の高い番組情報の放送時間を特別な操作を行わない状態で確認することが容易になるという効果を有する。
【００３９】
また、リモコン受光部１２において受信したリモコン信号を元に、制御部１０が、ユーザが選択している番組情報を変更できる場合には、選択された番組情報の表示優先度を（ステップＳ４）において算出した値にかかわらず最高値（例えば通常の表示優先度が０〜１であれば、それを超える値である３とする）として（ステップＳ１１）の判定処理を行ってもよい。これにより、ユーザが選択している番組情報の表示が優先されることで、放送開始時刻を示す時間軸位置から放送終了時刻を示す時間軸位置までの領域で番組情報の表示を行うことが可能となり、ユーザが選択している番組情報の放送時間を確認することが容易になるという効果を有する。
【００４０】
あるいは、リモコン受光部１２において受信したリモコン信号を元に、制御部１０が、ユーザが選択した番組の視聴や録画を予約できる場合には、選択された番組情報の表示優先度を（ステップＳ４）において算出される値より大きな値（例えば通常の表示優先度が０〜１であれば、それを超える値である２とする）として（ステップＳ１１）の判定処理を行ってもよい。これにより、ユーザが選択している番組情報の表示が優先されることで、放送開始時刻を示す時間軸位置から放送終了時刻を示す時間軸位置までの領域で番組情報の表示を行うことが可能となり、ユーザが選択している番組情報の放送時間を確認することが容易になるという効果を有する。
【００４１】
表示制御部１０ａは、番組情報ｊの次のソート順となる番組情報が存在する場合にはその番組情報を次の番組情報ｊとして（ステップＳ９）に戻り、存在しない場合には番組情報ｉの次のソート順となる番組情報を次の番組情報ｉとして（ステップＳ６）に戻る。
【００４２】
次に、表示制御部１０ａは、番組情報記憶部１１ａに保存した番組情報と番組表示時間から放送開始時刻の早い順に番組表データ生成部６に対して電子番組表データを生成していく。
【００４３】
一方、最終的に次の番組がなくなれば、すなわち、ステップＳ６でＮｏとなりステップＳ１４に進んだ場合には、ステップＳ１４において、次の番組があれば（Ｙｅｓ）、表示制御部１０ａは、（ステップＳ５）でのソート順に、番組情報ｉと番組情報ｉの番組表示時間とを番組情報記憶部１１ａから取り出し（ステップＳ１５）、図４に示すように、番組表示時間が存在する場合には番組表示時間の開始時刻ＤＳｉ１を示す時間軸位置から番組表示時間の終了時刻ＤＥｉ１を示す時間軸位置までの領域に番組名などの番組情報の配置を行う（符号１０１と１０３との間の番組情報表示１０２：ステップＳ１６）。なお、図６（ｂ）のように番組表示時間が複数の区間に分かれている際には、区間ごとに番組情報を配置することも可能であるが、１区間のみに番組情報を表示する場合には、最も区間長の長い領域を対象として配置を行うことで、表示できる番組情報の量を最大にすることができる。ステップＳ１７で、ＤＳｉｌ＞ＴＳｉであるか否かを判定し、Ｙｅｓの場合には、ＤＳｉｌを示す時間軸位置の近傍に重なりを示す表示などを配置し、Ｎｏである場合とともに、ステップＳ１９に進む。ステップＳ１９において、ＤＥｉｌ＜ＴＥｉであるか否かを判定し、Ｙｅｓの場合にはステップＳ２０に進み、ＤＥｉｌを示す時間軸位置の近傍に重なりを示す表示を配置してステップＳ１４に戻り、Ｎｏの場合にはそのままステップＳ１４に戻る。ステップＳ１４で次の番組がなければ（Ｎｏ）、処理を終了する（終了）。
【００４４】
尚、上記において説明したように、番組表示時間の開始時刻ＤＳｉ１が番組情報ｉの放送開始時刻ＴＳｉよりも遅い場合には、放送開始時刻から番組表示時間の開始時刻までの間に他の番組との放送時間の重なりが存在することを示すため、例えば図５の左図のように、番組表示時間の開始時刻ＤＳｉ１を示す時間軸位置の近傍で、例えば番組情報の表示領域に切り込み１１２ｘを配置する（ステップＳ１８）。あるいは、図５の右図のように、矢印１１２ｚを番組表示時間の開始時刻ＤＳｉ１を示す時間軸位置の近傍に配置してもよい。いずれにしろ、一般的な矩形の表示領域とは異なる表示領域であることを視覚的に認識可能な形態で表示すると良い。図５左図、図５右図に示すような表示により、現在表示されている番組に関して、番組表示時間の開始時刻ＤＳｉ１が番組情報ｉの放送開始時刻ＴＳｉとは異なることを、ユーザが確認することが容易になるという効果を有する。
【００４５】
あるいは、例えば図６（ａ）に示すように、番組情報ｉの放送開始時刻ＴＳｉを示す時間軸位置から番組表示時間の開始時刻ＤＳｉ１を示す時間軸位置まで、放送時間が存在することを示すチャンネル軸上に幅の細い表示１２２ｘの配置を行う（番組情報表示１２２ｘの分だけ前後の番組情報の矩形領域表示はへこむようにするのが好ましい）。また、例えば図７（ａ）から（ｄ）に示すように、番組情報ｉを図７の番組２として表示領域を配置してもよい。これにより、放送時間に重なりがあって見えないような場合でも、番組情報ｉの放送開始時刻ＴＳｉをユーザが確認することが容易になるという効果を有する。これらの番組情報表示は、全チャンネル表示と同時に行うことができる。
【００４６】
また、表示制御部１０ａは、番組表示時間の終了時刻ＤＥｉ１が番組情報ｉの放送終了時刻ＴＥｉよりも早い場合には、番組表示時間の終了時刻から放送終了時刻までの間に他の番組との放送時間の重なりが存在することを示すため、例えば図５左図のように、番組表示時間の終了時刻ＤＥｉ１を示す時間軸位置の近傍１１２ｙで、上述のように、番組情報の表示領域に切り込みを配置する（ステップＳ２０）。あるいは、図５右図のように矢印１１２ｗを配置してもよい。これにより、番組表示時間の終了時刻ＤＥｉ１が番組情報ｉの放送終了時刻ＴＥｉではないことをユーザが確認することが容易になるという効果を有する。
【００４７】
あるいは、図６（ａ）のように、番組表示時間の終了時刻ＤＥｉ１を示す時間軸位置から番組情報ｉの放送終了時刻ＴＥｉを示す時間軸位置まで、放送時間が存在することを示す表示１２２ｙを配置する。また、例えば図７（ａ）から（ｄ）に示すように、番組情報ｉを図７の番組１として表示領域を配置してもよい。
【００４８】
これにより、放送時間に重なりがあっても、番組情報ｉの放送終了時刻ＴＥｉをユーザが確認することが容易になるという効果を有する。あるいは図６（ｂ）のように、番組表示時間が複数の区間に分かれている場合には、番組表示時間の終了時刻ＤＥｉ１を示す時間軸位置から次の番組表示時間の開始時刻ＤＳｉ２を示す時間軸位置まで、放送時間が係属して存在することを示す細長い表示１２２ｗを配置する。
【００４９】
表示制御部１０ａは、番組情報ｉの次のソート順となる番組情報を次の番組情報ｉとして（ステップＳ２０）に戻る。ループを抜けると、処理が終了する（終了）。
【００５０】
以上に説明したように、本実施の形態における番組情報表示装置は、放送時間が重なり合う複数の番組情報を表示する場合に、ある一つの番組情報については放送開始時刻を示す時間軸位置から放送終了時刻を示す時間軸位置までの領域で番組情報の表示を行い、他の番組情報については番組情報の放送開始時刻を示す時間軸位置まで、もしくは、番組情報の放送終了時刻を示す時間軸位置からの領域で番組情報の表示を行うと共に、番組情報の領域との境界の近傍に、放送時間の重なりが存在することを示す表示を行うものである。これにより、番組情報については放送開始時刻と放送終了時刻とを容易に確認することが可能であり、他の番組情報についても番組情報との間に放送時間の重なりが存在することを確認することが可能となる。
【００５１】
本発明による番組情報表示装置で動作するプログラムは、本発明に関わる上記実施形態の機能を実現するように、ＣＰＵ（Central Processing Unit）等を制御するプログラム
（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭなどの書き込み（Read Only Memory)などの各種ＲＯＭやＨＤＤ（Hard Disk Drive）等に格納され、必要に応じてＣＰＵによって読み出し、修正・書き込みが行われる。
【００５２】
尚、フォーカスを当てた状態で決定を押せば、番組の視聴（予約を含む）、録画（予約を含む）などを行うことができる点は、一般的なＥＰＧと同様である。
【００５３】
また、図１の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００５４】
また、「コンピュータ読み取り可能な記録媒体」とは、光磁気ディスク、ＣＤ−ＲＯＭ、ＵＳＢメモリ、ＳＤカード等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の実施の形態について図面を参照して詳述してきたが、具体的な構成はこの実施の形態に限られるものではなく、この発明の要旨を逸脱しない範囲の設計変更等された発明も含まれる。例えば、上記では、番組情報表示装置の例として、デジタル放送受信装置について説明したが、その他の番組情報表示装置を用いても同様である。例えばＩＰ放送やＶＯＤコンテンツを受信し表示する機能を有する装置であっても良い。
【産業上の利用可能性】
【００５６】
本発明は、デジタル放送における番組情報表示装置に利用可能である。【００５７】
本明細書で引用した全ての刊行物、特許および特許出願をそのまま参考として本明細書にとり入れるものとする。
【図１】
2011062116.tif 000003
【図２Ａ】
2011062116.tif 000004
【図２Ｂ】
2011062116.tif 000005
【図３】
2011062116.tif 000006
【図４】
2011062116.tif 000007
【図５】
2011062116.tif 000008
【図６】
2011062116.tif 000009
【図７】
2011062116.tif 000010
【図８】
2011062116.tif 000011
【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
番組情報に含まれる放送時間に基づき、時間軸方向に一行又は一列で番組情報を並べて表示する番組表示欄を有する番組情報表示装置において、
放送時間が重なり合う第１及び第２の番組情報を含む複数の番組情報を１つの時間軸方向に並べて表示させる場合に、
前記第１の番組情報については放送開始時刻を示す時間軸位置から放送終了時刻を示す時間軸位置までの領域で前記第１の番組情報の表示を行い、
前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行い、
前記第１の番組情報の表示領域と前記第２の番組情報の表示領域を非矩形の領域とし、前記非矩形を形成する領域の頂点を番組の開始時間及び終了時間とすると共に、
放送時間の重なりが存在することを示す表示を、前記第１の番組情報の放送開始時刻を示す時間軸位置から前記第２の番組情報の放送終了時刻を示す時間軸位置まで、もしくは、前記第２の番組情報の放送開始時刻を示す時間軸位置から前記第１の番組情報の放送終了時刻を示す時間軸までの区間全体で行う表示制御部を有することを特徴とする番組情報表示装置。
【請求項５】
（削除）
【請求項６】
さらに、番組情報の表示優先度を求める番組優先度算出部を備え、
前記表示制御部は、放送時間が重なり合う複数の番組情報を表示する場合に、前記番組優先度算出部が求めた表示優先度が高い番組情報を、前記第１の番組情報として表示させる制御を行うことを特徴とする請求項４に記載の番組情報表示装置。
【請求項７】
前記表示制御部は、放送時間が重なり合う複数の番組情報を表示する場合に、ユーザが選択した番組情報を、前記第１の番組情報として表示させる制御を行うことを特徴とする請求項４に記載の番組情報表示装置。
【請求項８】
前記表示制御部は、放送時間が重なり合う複数の番組情報を表示する場合に、ユーザ操作により番組情報が選択される毎に、前記第１の番組情報と前記第２の番組情報とを切り替えて表示させる制御を行うことを特徴とする請求項４に記載の番組情報表示装置。
【請求項９】
前記第１の番組情報と前記第２の番組情報とは、電子番組表の推奨番組欄に表示されることを特徴とする請求項４及び６から８項に記載の番組情報表示装置。
【請求項１０】
番組情報に含まれる放送時間に基づき、時間軸方向に一行又は一列で番組情報を並べて表示する番組表示欄を表示する番組情報表示方法において、
放送時間が重なり合う第１及び第２の番組情報を含む複数の番組情報を１つの時間軸方向に並べて表示させる場合に、
前記第１の番組情報については放送開始時刻を示す時間軸位置から放送終了時刻を示す時間軸位置までの領域で前記第１の番組情報の表示を行い、前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行い、前記第１の番組情報の表示領域と前記第２の番組情報の表示領域を非矩形の領域とし、前記非矩形を形成する領域の頂点を番組の開始時間及び終了時間とすると共に、放送時間の重なりが存在することを示す表示を、前記第１の番組情報の放送開始時刻を示す時間軸位置から前記第２の番組情報の放送終了時刻を示す時間軸位置まで、もしくは、前記第２の番組情報の放送開始時刻を示す時間軸位置から前記第１の番組情報の放送終了時刻を示す時間軸までの区間全体で行うことを特徴とする番組情報表示方法。
【請求項１１】
請求項１０に記載の番組情報表示方法をコンピュータに実行させるためのプログラム。
【請求項１２】
請求項１１に記載のプログラムを記録した、コンピュータ読み取り可能な記録媒体。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
番組情報に含まれる放送時間に基づき、時間軸方向に一行又は一列で番組情報を並べて表示する番組表示欄を有する番組情報表示装置において、
放送時間が重なり合う第１及び第２の番組情報を含む複数の番組情報を１つの時間軸方向に並べて表示させる場合に、
前記第１の番組情報については放送開始時刻を示す時間軸位置から放送終了時刻を示す時間軸位置までの領域で前記第１の番組情報の表示を行い、
前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行い、
前記第１の番組情報の表示領域と前記第２の番組情報の表示領域を長方形とは異なる形状を有する多角形の領域とし、前記多角形を形成する領域のうちの前記時間軸に沿った最前の位置と最後の位置とをそれぞれ番組の放送開始時間及び終了時間とすると共に、
放送時間の重なりが存在することを示す表示を、前記第１の番組情報の放送開始時刻を示す時間軸位置から前記第２の番組情報の放送終了時刻を示す時間軸位置まで、もしくは、前記第２の番組情報の放送開始時刻を示す時間軸位置から前記第１の番組情報の放送終了時刻を示す時間軸までの区間全体で行う表示制御部を有することを特徴とする番組情報表示装置。
【請求項２】
さらに、番組情報の表示優先度を求める番組優先度算出部を備え、
前記表示制御部は、放送時間が重なり合う複数の番組情報を表示する場合に、前記番組優先度算出部が求めた表示優先度が高い番組情報を、前記第１の番組情報として表示させる制御を行うことを特徴とする請求項１に記載の番組情報表示装置。
【請求項３】
前記表示制御部は、放送時間が重なり合う複数の番組情報を表示する場合に、ユーザが選択した番組情報を、前記第１の番組情報として表示させる制御を行うことを特徴とする請求項１に記載の番組情報表示装置。
【請求項４】
前記表示制御部は、放送時間が重なり合う複数の番組情報を表示する場合に、ユーザ操作により番組情報が選択される毎に、前記第１の番組情報と前記第２の番組情報とを切り替えて表示させる制御を行うことを特徴とする請求項１に記載の番組情報表示装置。
【請求項５】
前記第１の番組情報と前記第２の番組情報とは、電子番組表の推奨番組欄に表示されることを特徴とする請求項１から４までのいずれか１項に記載の番組情報表示装置。
【請求項６】
番組情報に含まれる放送時間に基づき、時間軸方向に一行又は一列で番組情報を並べて表示する番組表示欄を表示する番組情報表示方法において、
放送時間が重なり合う第１及び第２の番組情報を含む複数の番組情報を１つの時間軸方向に並べて表示させる場合に、
前記第１の番組情報については放送開始時刻を示す時間軸位置から放送終了時刻を示す時間軸位置までの領域で前記第１の番組情報の表示を行い、前記第２の番組情報については前記第１の番組情報の放送開始時刻を示す時間軸位置まで、もしくは、前記第１の番組情報の放送終了時刻を示す時間軸位置からの領域で、前記第２の番組情報の表示を行い、
前記第１の番組情報の表示領域と前記第２の番組情報の表示領域を長方形とは異なる形状を有する多角形の領域とし、前記多角形を形成する領域のうちの前記時間軸に沿った最前の位置と最後の位置とをそれぞれ番組の放送開始時間及び終了時間とすると共に、放送時間の重なりが存在することを示す表示を、前記第１の番組情報の放送開始時刻を示す時間軸位置から前記第２の番組情報の放送終了時刻を示す時間軸位置まで、もしくは、前記第２の番組情報の放送開始時刻を示す時間軸位置から前記第１の番組情報の放送終了時刻を示す時間軸までの区間全体で行うことを特徴とする番組情報表示方法。
【請求項７】
請求項６に記載の番組情報表示方法をコンピュータに実行させるためのプログラム。
【請求項８】
請求項７に記載のプログラムを記録した、コンピュータ読み取り可能な記録媒体。
【国際調査報告】
2011062116.tif 000012
2011062116.tif 000013
2011062116.tif 000014
2011062116.tif 000015
2011062116.tif 000016
2011062116.tif 000017
2011062116.tif 000018
2011062116.tif 000019